(57)【要約】【課題】カメラ部とモニタ部とを着脱自在にした撮影装置におけるカメラ部およびモニタ部の動作可能時間を最適に設定する。【解決手段】カメラ部１０のバッテリ２２の残容量を検出するバッテリ残容量検出回路２３と、モニタ部３０のバッテリ３２の残容量を検出するバッテリ残容量検出回路３３と、バッテリ２２の残容量に基づいてカメラ部１０の動作可能時間を算出すると共に、バッテリ３２の残容量に基づいてモニタ部３０の動作可能時間を算出するシステムコントローラ１８と、バッテリ２２，３２に給電を行い充電する充電回路２１とを有し、システムコントローラ１８は、カメラ部１０の動作可能時間とモニタ部３０の動作可能時間とを比較して、動作可能時間が短い方のバッテリを優先して充電する。【選択図】図１
2012039358.tif 000002
【特許請求の範囲】
【請求項１】
カメラ部とモニタ部とを着脱自在にした撮影装置であって、
前記カメラ部を動作させるためのカメラ部用バッテリの残容量を検出するカメラ部用バッテリ残容量検出手段と、
前記モニタ部を動作させるためのモニタ部用バッテリの残容量を検出するモニタ部用バッテリ残容量検出手段と、
前記カメラ部用バッテリの残容量に基づいて前記カメラ部の動作可能時間を算出するカメラ部動作可能時間算出手段と、
前記モニタ部用バッテリの残容量に基づいて前記モニタ部の動作可能時間を算出するモニタ部動作可能時間算出手段と、
前記カメラ部用バッテリと前記モニタ部用バッテリに給電を行い充電する充電手段と、
前記カメラ部の動作可能時間と前記モニタ部の動作可能時間とに基づいて、前記充電手段による充電を制御する充電制御手段と
を備えることを特徴とする撮影装置。
【請求項２】
前記充電制御手段は、
前記カメラ部の動作可能時間と前記モニタ部の動作可能時間とに基づいて、動作可能時間が短い方のバッテリを優先して充電することにより、前記カメラ部の動作可能時間と前記モニタ部の動作可能時間とが等しくなるように前記充電手段による充電を制御することを特徴とする請求項１に記載の撮影装置。
【請求項３】
カメラ部とモニタ部とを着脱自在にした撮影装置におけるバッテリ充電方法であって、
前記カメラ部を動作させるためのカメラ部用バッテリの残容量を検出するステップと、
前記モニタ部を動作させるためのモニタ部用バッテリの残容量を検出するステップと、
前記カメラ部用バッテリの残容量に基づいて前記カメラ部の動作可能時間を算出するステップと、
前記モニタ部用バッテリの残容量に基づいて前記モニタ部の動作可能時間を算出するステップと、
前記カメラ部用バッテリと前記モニタ部用バッテリに給電を行い、前記カメラ部の動作可能時間と前記モニタ部の動作可能時間とに基づいて、前記カメラ部用バッテリと前記モニタ部用バッテリの充電を制御するステップと
を含むことを特徴とする撮影装置におけるバッテリ充電方法。
【請求項４】
前記カメラ部用バッテリと前記モニタ部用バッテリの充電を制御するステップでは、
前記カメラ部の動作可能時間と前記モニタ部の動作可能時間とに基づいて、動作可能時間が短い方のバッテリを優先して充電することにより、前記カメラ部の動作可能時間と前記モニタ部の動作可能時間とが等しくなるように前記カメラ部用バッテリと前記モニタ部用バッテリの充電を制御することを特徴とする請求項３に記載の撮影装置におけるバッテリ充電方法。
【発明の詳細な説明】
【技術分野】
【０００１】
本発明は、カメラ部とモニタ部とを着脱自在にした撮影装置、およびかかる撮影装置におけるバッテリ充電方法に関する。
【背景技術】
【０００２】
カメラ部とモニタ部とを着脱自在にした撮影装置として、カメラ部のバッテリ残容量等を、カメラ部から分離された表示記録部で確認できるようにした撮影装置がある（例えば、特許文献１参照）。また、複数のバッテリを順次充電する充電器であって、バッテリを接続する充電端子と、接続されたバッテリの電圧を検出する電圧検出部と、接続されたバッテリを充電する充電部と、上記充電部の状態を検出してバッテリの充電状況を表示する表示部とを有する充電ポートを複数備えるとともに、上記複数の充電ポートの作動を制御するＣＰＵ及びメモリを備え、上記ＣＰＵが各充電ポートの電圧検出部で検出した電圧データに基づいて各充電ポートの充電部の作動を制御することによって、電池電圧の大きなバッテリから順次充電する充電方法がある（例えば、特許文献２参照）。
【先行技術文献】
【特許文献】
【０００３】
【特許文献１】特開２００２−２３７９８２号公報
【特許文献２】特開２００１−３３３５３９号公報
【発明の概要】
【発明が解決しようとする課題】
【０００４】
しかし、かかる撮影装置において、カメラ部とモニタ部とを分離して使用する場合には、各々にバッテリが必要となり、使用状況によってはカメラ部とモニタ部のいずれか一方の機器のバッテリのみが残容量不足になり、他方の機器のバッテリ残容量が十分であっても、一方の機器が動作不能になる、という問題がある。
【０００５】
そこで、本発明は、カメラ部およびモニタ部の動作可能時間を最適に設定することができる撮影装置および撮影装置におけるバッテリ充電方法を提供することを目的とする。
【課題を解決するための手段】
【０００６】
上記目的を達成するため、本発明の撮影装置の第１の特徴は、カメラ部とモニタ部とを着脱自在にした撮影装置であって、前記カメラ部を動作させるためのカメラ部用バッテリの残容量を検出するカメラ部用バッテリ残容量検出手段と、前記モニタ部を動作させるためのモニタ部用バッテリの残容量を検出するモニタ部用バッテリ残容量検出手段と、前記カメラ部用バッテリの残容量に基づいて前記カメラ部の動作可能時間を算出するカメラ部動作可能時間算出手段と、前記モニタ部用バッテリの残容量に基づいて前記モニタ部の動作可能時間を算出するモニタ部動作可能時間算出手段と、前記カメラ部用バッテリと前記モニタ部用バッテリに給電を行い充電する充電手段と、前記カメラ部の動作可能時間と前記モニタ部の動作可能時間とに基づいて、前記充電手段による充電を制御する充電制御手段とを備えることにある。
【０００７】
本発明の撮影装置の第２の特徴は、前記充電制御手段は、前記カメラ部の動作可能時間と前記モニタ部の動作可能時間とに基づいて、動作可能時間が短い方のバッテリを優先して充電することにより、前記カメラ部の動作可能時間と前記モニタ部の動作可能時間とが等しくなるように前記充電手段による充電を制御することにある。
【０００８】
本発明の撮影装置におけるバッテリ充電方法の第１の特徴は、カメラ部とモニタ部とを着脱自在にした撮影装置におけるバッテリ充電方法であって、前記カメラ部を動作させるためのカメラ部用バッテリの残容量を検出するステップと、前記モニタ部を動作させるためのモニタ部用バッテリの残容量を検出するステップと、前記カメラ部用バッテリの残容量に基づいて前記カメラ部の動作可能時間を算出するステップと、前記モニタ部用バッテリの残容量に基づいて前記モニタ部の動作可能時間を算出するステップと、前記カメラ部用バッテリと前記モニタ部用バッテリに給電を行い、前記カメラ部の動作可能時間と前記モニタ部の動作可能時間とに基づいて、前記カメラ部用バッテリと前記モニタ部用バッテリの充電を制御するステップとを含むことにある。
【０００９】
本発明の撮影装置におけるバッテリ充電方法の第２の特徴は、前記カメラ部用バッテリと前記モニタ部用バッテリの充電を制御するステップでは、前記カメラ部の動作可能時間と前記モニタ部の動作可能時間とに基づいて、動作可能時間が短い方のバッテリを優先して充電することにより、前記カメラ部の動作可能時間と前記モニタ部の動作可能時間とが等しくなるように前記カメラ部用バッテリと前記モニタ部用バッテリの充電を制御することにある。
【発明の効果】
【００１０】
本発明の撮影装置および撮影装置におけるバッテリ充電方法によれば、カメラ部およびモニタ部の動作可能時間を最適に設定することができる。
【図面の簡単な説明】
【００１１】
【図１】本発明に係る撮影装置の実施の形態１の構成の一例を示すブロック図である。
【図２】バッテリの容量と動作可能時間との関係の一例を示す説明図である。
【図３】実施の形態１の撮影装置における充電動作を示すフローチャートである。
【図４】実施の形態２の撮影装置における充電動作を示すフローチャートである。
【発明を実施するための形態】
【００１２】
（実施の形態１）
以下、図面を参照して、本発明に係る撮影装置および撮影装置における充電方法の一例である実施の形態１について説明する。
【００１３】
（構成の説明）
図１は、本発明に係る撮影装置の実施の形態１の構成の一例を示すブロック図である。
【００１４】
図１において、本実施の形態１の撮影装置は、ＣＣＤカメラ１１等を有するカメラ部１０と、カメラ部１０に着脱可能で、カメラ部１０に取り付けた状態でも、取り外した状態でも動作可能な、液晶モニタ３１を有するモニタ部３０とから構成される。
【００１５】
カメラ部１０は、ＣＣＤカメラ１１と、Ａ／Ｄ変換器１２と、映像信号処理回路１３と、マイク（ＭＩＣ）１４と、Ａ／Ｄ変換器１５と、音声信号処理回路１６と、映像音声信号記録／再生回路１７と、本発明のカメラ部動作可能時間算出手段、モニタ部動作可能時間算出手段および充電制御手段としてのシステムコントローラ１８と、無線送受信回路１９と、電源端子（ＤＣ−ＩＮ）２０と、本発明の充電手段としての充電回路２１と、本発明のカメラ部用バッテリであるバッテリ２２と、本発明のカメラ部用バッテリ残容量検出手段としてのバッテリ残容量検出回路２３と、コネクタ２４とを有している。
【００１６】
モニタ部３０は、液晶モニタ３１と、本発明のモニタ部用バッテリであるバッテリ３２と、本発明のモニタ部用バッテリ残容量検出手段としてのバッテリ残容量検出回路３３と、コネクタ３４と、液晶駆動回路３７と、システムコントローラ３８と、無線送受信回路３９とを有している。なお、液晶モニタ３１の代わりに、有機ＥＬモニタ等を使用しても勿論良い。
【００１７】
ここで、カメラ部１０のシステムコントローラ１８には、バッテリ２２，３２それぞれの残容量と使用時間との関係、あるいはバッテリ２２，３２それぞれの残容量と使用可能時間との関係等を記憶しておき、後述するように本発明のカメラ部動作可能時間算出手段や、モニタ部動作可能時間算出手段、充電制御手段として機能させる。つまり、本実施の形態１では、バッテリ２２，３２の使用時間に伴うバッテリ２２，３２の残容量低下の関係に基づいて、図２に示すように、バッテリ２２，３２それぞれの単位使用可能時間（Δtref）当たりのバッテリ２２，３２それぞれの残容量（ΔＶtref）である傾き（ΔＶtref／Δtref）を記憶し、バッテリ２２，３２それぞれの残容量からバッテリ２２，３２それぞれの使用可能時間を算出して、本実施の形態１の充電制御を行う。
【００１８】
図２は、バッテリ２２，３２それぞれの単位使用可能時間当たりのバッテリ２２，３２それぞれの残容量である傾き（ΔＶtref／Δtref）等の一例を示している。
【００１９】
図２は、横軸にバッテリ２２，３２それぞれ動作可能時間、縦軸にバッテリ２２，３２それぞれの残容量をとっている。そして、この図２において、実線４１が充電ｎ回目までの所定の参照値であるリファレンスの傾き（ΔＶtref／Δtref）を示し、点線４２が充電ｎ回目以降の測定した傾き（ΔＶt／Δt）を示している。
【００２０】
システムコントローラ１８は、これらの傾きからバッテリ残容量（Ｖtremain）に対するバッテリ動作可能時間ｔｏｆｆを算出することができる。
【００２１】
つまり、ｎ回目の充電までは、バッテリ２２，３２の劣化をほとんど考慮する必要がないので、バッテリ２２，３２それぞれの残容量（Ｖtremain）が０に至るまでの動作可能時間ｔｏｆｆは、下記の式（１）により表すことができる。
【００２２】
ｔｏｆｆ＝Ｖtremain／（ΔＶtref／Δtref）  …（１）
そのため、カメラ部１０のシステムコントローラ１８は、ｎ回目の充電までは、この式（１）により、バッテリ２２，３２それぞれの動作可能時間ｔｏｆｆＶ１，ｔｏｆｆＶ２を算出することができる。
【００２３】
ただし、ユーザの使用状況により、バッテリの使用時間に伴うバッテリの残容量の低下の傾きは変わってくるため、充電回数ｎ回目以降は、直前のｎ回のカメラ部動作開始時間ｔ１ｎのバッテリ残容量Ｖｔ１ｎと、動作終了時間ｔ２ｎのバッテリ残容量Ｖｔ２ｎの測定データから、ｎ回分の実動作時の傾きを次式（２）により算出し、これを使ってｎ回に１回傾きを更新する。
【００２４】
ΔＶt／Δt =｛（Ｖｔ11−Ｖｔ21）＋（Ｖｔ12−Ｖｔ22）＋…＋（Ｖｔ1ｎ−Ｖｔ2ｎ）｝／｛（ｔ11−ｔ21）＋（ｔ12−ｔ22）＋…＋（ｔ1ｎ−ｔ2ｎ）｝  …（２）
つまり、充電回数ｎ回目以降のバッテリ残容量（Ｖtremain）に対するバッテリ動作可能時間ｔｏｆｆｎ、すなわちバッテリ残容量（Ｖtremain）が０に至るまでの動作可能時間ｔｏｆｆｎは、次の式（３）のように表すことができる。
【００２５】
ｔｏｆｆｎ ＝Ｖtremain／（ΔＶt／Δt）  …（３）
なお、本実施の形態１の撮影装置では、カメラ部１０のバッテリ２２と、モニタ部３０のバッテリ３２の２つのバッテリを使用しており、それぞれが駆動している回路が異なるため、上記の傾きおよび傾きの更新は、各々のバッテリ２２，バッテリ３２に対して行うが、同じバッテリおよび回路を使用している場合は、共通の値を使用することができる。
【００２６】
（動作の説明）
次に、図１に示すように構成された本実施の形態１の撮影装置における充電動作について、フローチャートを参照して説明する。
【００２７】
図３は、本実施の形態の撮影装置における充電動作を示すフローチャートである。
【００２８】
本実施の形態の撮影装置では、カメラ部１０とモニタ部３０とがコネクタ２４，３４を介して接続して、充電端子２０を電源に繋ぐと、システムコントローラ１８の制御の下、充電回路２１がカメラ部１０に装着されたバッテリ２２と、モニタ部３０に装着されたバッテリ３２の本実施の形態１の充電動作を開始する。
【００２９】
すると、まず、カメラ部１０のバッテリ残容量検出回路２３と、モニタ部３０のバッテリ残容量検出回路３３とがそれぞれバッテリ２２の残容量（Ｖtremain1）とバッテリ３２の残容量（Ｖtremain2）とを検出し、検出した残容量（Ｖtremain1，Ｖtremain2）をそれぞれシステムコントローラ１８，３８へ出力する（ステップＳ３１０）。なお、カメラ部１０のバッテリ残容量検出回路２３と、モニタ部３０のバッテリ残容量検出回路３３とは、それぞれのバッテリ２２とバッテリ３２の充電開始後ではなく、バッテリ２２とバッテリ３２が装着されているときに、常時または定期的にバッテリの残容量（Ｖtremain1，Ｖtremain2）を検出するようにしても勿論よい。
【００３０】
すると、システムコントローラ１８は、本発明のカメラ部動作可能時間算出手段およびモニタ部動作可能時間算出手段として機能して、バッテリ残容量検出回路２３が検出したカメラ部１０のバッテリ２２の残容量（Ｖtremain1）と、コネクタ２４，３４を介してシステムコントローラ３８から受け取ったモニタ部３０のバッテリ３２の残容量（Ｖtremain2）と、前述の式（１）（充電回数ｎ回目まで）または式（３）（充電回数ｎ回目以上）とに基づいて、それぞれ、カメラ部１０のバッテリ２２の動作可能時間ｔｏｆｆＶ１と、モニタ部３０のバッテリ３２の動作可能時間ｔｏｆｆＶ２とを算出する（ステップＳ３２０）。
【００３１】
次に、システムコントローラ１８は、本発明の充電制御手段として機能して、バッテリ残容量検出回路２３が検出したカメラ部１０のバッテリ２２の動作可能時間ｔｏｆｆＶ１と、コネクタ２４，３４を介してシステムコントローラ３８から受け取ったモニタ部３０のバッテリ３２の動作可能時間ｔｏｆｆＶ２の大きさを比較し、カメラ部１０のバッテリ２２の動作可能時間ｔｏｆｆＶ１が、モニタ部３０のバッテリ３２の動作可能時間ｔｏｆｆＶ２より小さいか否かを判断する（ステップＳ３３０）。
【００３２】
ここで、カメラ部１０のバッテリ２２の動作可能時間ｔｏｆｆＶ１が、モニタ部３０のバッテリ３２の動作可能時間ｔｏｆｆＶ２より小さいと判断した場合（ステップＳ３３０“Ｙｅｓ”）、システムコントローラ１８は、充電回路２１に対しカメラ部１０のバッテリ２２を先に充電させるように充電開始指令を出力する（ステップＳ３４０）。これにより、この場合には、カメラ部１０のバッテリ２２が先に充電され、モニタ部３０のバッテリ３２の充電は開始されない。
【００３３】
これに対し、カメラ部１０のバッテリ２２の動作可能時間ｔｏｆｆＶ１が、モニタ部３０のバッテリ３２の動作可能時間ｔｏｆｆＶ２より大きいと判断した場合（ステップＳ３３０“Ｎｏ”）、システムコントローラ１８は、充電回路２１に対しモニタ部３０のバッテリ３２を先に充電させるように充電開始指令を出力する（ステップＳ３５０）。これにより、この場合には、先にモニタ部３０のバッテリ３２が充電され、カメラ部１０のバッテリ２２の充電は開始されない。
【００３４】
その後、システムコントローラ１８は、常時ないしは定期的に、バッテリ残容量検出回路２３が検出したカメラ部１０のバッテリ２２の動作可能時間ｔｏｆｆＶ１と、コネクタ２４，３４を介してシステムコントローラ３８から受け取ったモニタ部３０のバッテリ３２の動作可能時間ｔｏｆｆＶ２の大きさを比較し、カメラ部１０のバッテリ２２の動作可能時間ｔｏｆｆＶ１と、モニタ部３０のバッテリ３２の動作可能時間ｔｏｆｆＶ２とが等しくなるか否かを判断する（ステップＳ３６０）。
【００３５】
ここで、カメラ部１０のバッテリ２２の動作可能時間ｔｏｆｆＶ１と、モニタ部３０のバッテリ３２の動作可能時間ｔｏｆｆＶ２とが等しくなっていないと判断した場合（ステップＳ３６０“Ｎｏ”）、システムコントローラ１８は、動作可能時間ｔｏｆｆＶ１，ｔｏｆｆＶ２が小さいほうのバッテリ２２、バッテリ３２の充電を継続させる（ステップＳ３４０，３５０）。
【００３６】
これに対し、カメラ部１０のバッテリ２２の動作可能時間ｔｏｆｆＶ１と、モニタ部３０のバッテリ３２の動作可能時間ｔｏｆｆＶ２とが等しくなったと判断した場合（ステップＳ３６０“Ｙｅｓ”）、システムコントローラ１８は、充電回路２１に指令を出して、バッテリ２２およびバッテリ３２の同時充電を行う（ステップＳ３７０）。
【００３７】
これにより、先に動作可能時間ｔｏｆｆＶ１，ｔｏｆｆＶ２が小さいほうのバッテリ２２、バッテリ３２から充電が開始され、動作可能時間ｔｏｆｆＶ１，ｔｏｆｆＶ２が等しくなった時点でカメラ部１０のバッテリ２２と、モニタ部３０のバッテリ３２との同時充電が行なわれることになるので、カメラ部１０とモニタ部３０の動作可能時間が等しくなる充電が最小時間で可能になる。
【００３８】
したがって、本実施の形態１の撮影装置および撮影装置におけるバッテリ充電方法によれば、カメラ部１０の動作可能時間と、モニタ部３０の動作可能時間とに基づいて、動作可能時間が短い方のバッテリ２２、バッテリ３２を優先して、それぞれの動作可能時間が等しくなるまで充電し、等しくなった時点で双方の充電を行うようにしたため、カメラ部１０およびモニタ部３０の動作可能時間を均等に簡単に充電することができる。
【００３９】
（実施の形態２）
上記実施の形態１の撮影装置および撮影装置におけるバッテリ充電方法では、カメラ部１０とモニタ部３０の動作可能時間を均等にするように説明したが、ユーザによっては、モニタ部３０よりカメラ部１０の方を長時間使用したいとか、カメラ部１０よりモニタ部３０の方を長時間使用したいとか、均等使用を望まないユーザもあり得る。
【００４０】
そこで、実施の形態２の撮影装置および撮影装置におけるバッテリ充電方法では、カメラ部１０とモニタ部３０の動作可能時間あるいはその割合を、均等を含め、ユーザの好みに応じて設定できるようにしたものである。なお、実施の形態２の撮影装置の構成は、図１に示す実施の形態１の撮影装置と同じなので、図１に示す実施の形態１の撮影装置の構成を参照して、動作についてのみ説明する。
【００４１】
図４は、実施の形態２の撮影装置における充電動作を示すフローチャートである。なお、図３に示す実施の形態１の撮影装置における充電動作を示すフローチャートと同じステップには、同一ステップ番号を付して説明を省略する。
【００４２】
図４に示す実施の形態２の撮影装置における充電動作では、図３に示す実施の形態１の撮影装置における充電動作に対し、新たにステップＳ４００を追加し、かつ、ステップＳ３３０，Ｓ３６０の代わりに、ステップＳ４３０，Ｓ４６０の処理を実行するようにしたものである。
【００４３】
つまり、実施の形態２の撮影装置における充電動作では、図４に示すように、まず、ユーザが入力ボタン（図示せず）等を用いて、カメラ部１０のバッテリ２２と、モニタ部３０のバッテリ３２の動作可能時間ないしはその割合を設定する（ステップＳ４００）。例えば、「カメラ部１０のバッテリ２２の動作可能時間ｔｏｆｆＶ１が“９０分”、モニタ部３０のバッテリ３２の動作可能時間ｔｏｆｆＶ２を“３０分”」とか、「カメラ部１０のバッテリ２２の動作可能時間ｔｏｆｆＶ１とモニタ部３０のバッテリ３２の動作可能時間ｔｏｆｆＶ２との割合を“３：１”」等と設定する。ここで、「カメラ部１０のバッテリ２２の動作可能時間ｔｏｆｆＶ１とモニタ部３０のバッテリ３２の動作可能時間ｔｏｆｆＶ２との割合を“１：１”」と設定すれば、上記実施の形態１と同じになる。なお、設定した値や条件等は、カメラ部１０のシステムコントローラ１８等に記憶される。
【００４４】
そして、ステップＳ４２０では、システムコントローラ１８は、ステップＳ４００にてユーザが設定した値や条件を満たさないのはバッテリ２２であるか否かを判断する（ステップＳ４３０）。
【００４５】
ここで、ステップＳ４００にてユーザが設定した値や条件を満たさないのはバッテリ２２であると判断した場合（ステップＳ４３０“Ｙｅｓ”），システムコントローラ１８は、充電回路２１に対しカメラ部１０のバッテリ２２を先に充電させるように充電開始指令を出力する（ステップＳ３４０）。一方、ステップＳ４００にてユーザが設定した値や条件を満たさないのはバッテリ３２であると判断した場合（ステップＳ４３０“Ｎｏ”）、システムコントローラ１８は、充電回路２１に対しモニタ部３０のバッテリ３２を先に充電させるように充電開始指令を出力する（ステップＳ３５０）。
【００４６】
その後、システムコントローラ１８は、実施の形態１と同様に常時ないしは定期的に、バッテリ残容量検出回路２３が検出したカメラ部１０のバッテリ２２の動作可能時間ｔｏｆｆＶ１と、コネクタ２４，３４を介してシステムコントローラ３８から受け取ったモニタ部３０のバッテリ３２の動作可能時間ｔｏｆｆＶ２の大きさを比較し、ステップＳ４００にてユーザが設定した値や条件を満たすか否かを判断する（ステップＳ４６０）。
【００４７】
そして、システムコントローラ１８は、ステップＳ４００にてユーザが設定した値や条件を満たさないと判断した場合（ステップＳ４６０“Ｎｏ”）、満たさない方のバッテリ２２、バッテリ３２の充電を継続する（ステップＳ３４０，Ｓ３５０）。一方、ステップＳ４００にてユーザが設定した値や条件を満たさすと判断した場合（ステップＳ４６０“Ｙｅｓ”）、システムコントローラ１８は、充電回路２１に指令を出して、バッテリ２２およびバッテリ３２の同時充電を行う（ステップＳ３７０）。
【００４８】
したがって、本実施の形態２の撮影装置および撮影装置におけるバッテリ充電方法によれば、ステップＳ４００にてユーザが設定した値や条件を満たすか否かに基づいて、満たさない方のバッテリ２２、バッテリ３２から優先して充電を開始し、双方のバッテリがユーザが設定した値や条件を満たすと判断した時点で同時充電を開始するようにしたので、カメラ部１０およびモニタ部３０の動作可能時間を、ユーザにとって最適な値または割合に簡単に設定することができる。
【００４９】
なお、上記実施の形態１，２の説明では、カメラ部１０のシステムコントローラ１８が本実施の形態１のバッテリ充電方法を実行するように説明したが、本発明では、これに限らず、モニタ部３０のシステムコントローラ３８が本実施の形態１のバッテリ充電方法を実行するようにしても勿論よい。
【００５０】
また、上記実施の形態１，２の説明では、図１に示すようにカメラ部１０やモニタ部３０のシステムコントローラ１８，３８等をハードウエア的に構成して説明したが、本発明では、これに限らず、カメラ部１０やモニタ部３０のシステムコントローラ１８，３８等を、ＣＰＵと、ＣＰＵが実行するプログラムによりソフトウエア的に構成するようにしても勿論よい。
【符号の説明】
【００５１】
１０  カメラ部
１１  ＣＣＤカメラ
１２  Ａ／Ｄ変換器
１３  映像信号処理回路
１４  マイク（ＭＩＣ）
１５  Ａ／Ｄ変換器
１６  音声信号処理回路
１７  映像音声信号記録／再生回路
１８  システムコントローラ（カメラ部動作可能時間算出手段，モニタ部動作可能時間算出手段，充電制御手段）
１９  無線送受信回路
２０  電源端子（ＤＣ−ＩＮ）
２１  充電回路（充電手段）
２２  バッテリ（カメラ部用バッテリ）
２３  バッテリ残容量検出回路（カメラ部用バッテリ残容量検出手段）
２４  コネクタ
３０  モニタ部
３１  液晶モニタ
３２  バッテリ（モニタ部用バッテリ）
３３  バッテリ残容量検出回路（モニタ部用バッテリ残容量検出手段）
３４  コネクタ
３７  液晶駆動回路
３８  システムコントローラ
３９  無線送受信回路
【図１】
2012039358.tif 000003
【図２】
2012039358.tif 000004
【図３】
2012039358.tif 000005
【図４】
2012039358.tif 000006